(57)【要約】【課題】  光ディスク装置に組み込まれる光ピックアップ装置の薄型化に貢献することが出来るフレーム型レーザーダイオードを提供する。【解決手段】  レーザーダイオードチップ１９が搭載されるリードフレーム１８の平面部を折曲させることによってレーザーダイオードチップ１９のＰＮ接合面１９Ａをフレーム型レーザーダイオードの本体を構成するとともに光ピックアップ装置の基台１７を構成する平面に対して平行に配置される主平面に対して傾斜させる。【選択図】  図１
2010097661.tif 000002
【特許請求の範囲】
【請求項１】
光ディスクに記録されている信号を読み出す光ピックアップ装置のレーザー光源として使用されるとともに金属製のリードフレームに設けられている平面上にレーザーダイオードチップが搭載されるフレーム型レーザーダイオードであり、レーザーダイオードチップが搭載される平面部を折曲させることによってレーザーダイオードチップのＰＮ接合面をフレーム型レーザーダイオードの本体を構成するとともに光ピックアップ装置の基台を構成する平面に対して平行に配置される主平面に対して傾斜させるようにしたことを特徴とするフレーム型レーザーダイオード。
【請求項２】
主平面に対する傾斜角度を３０°〜６０°になるように設定したことを特徴とする請求項１に記載のフレーム型レーザーダイオード。
【請求項３】
リードフレームを樹脂にてモールドすることによって樹脂枠を形成し、該樹脂枠によってリードフレームと端子フレームとを固定するようにしたことを特徴とする請求項１に記載のフレーム型レーザーダイオード。
【請求項４】
リードフレームの樹脂枠より外部に突出した部分に光ピックアップ装置の基台への固定を行う透孔を形成したことを特徴とする請求項３に記載のフレーム型レーザーダイオード。
【請求項５】
レーザーダイオードチップより発生する熱の放熱動作をリードフレーム及び該リードフレームを通して光ピックアップ装置の基台へ伝達することによって行うようにしたことを特徴とする請求項４に記載のフレーム型レーザーダイオード。
【発明の詳細な説明】
【技術分野】
【０００１】
本発明は、光ディスクに記録されている信号の読み出し動作や光ディスクに信号の記録動作を行う光ピックアップ装置のレーザー光源として使用されるフレーム型レーザーダイオードに関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及している。ＣＤ規格の光ディスクに記録されている信号の読み出し動作を行うレーザー光としては、波長が７８０ｎｍである赤外光が使用され、ＤＶＤ規格の光ディスクに記録されている信号の読み出し動作を行うレーザー光としては、波長が６５０ｎｍの赤色光が使用されている。
【０００４】
そして、前記ＣＤ規格の光ディスクにおける信号記録層の上面に設けられている保護層の厚さは１．２ｍｍであり、この信号記録層から信号の読み出し動作を行うために使用される対物レンズの開口数は０．４５と規定されている。また、ＤＶＤ規格の光ディスクにおける信号記録層の上面に設けられている保護層の厚さは０．６ｍｍであり、この信号記録層から信号の読み出し動作を行うために使用される対物レンズの開口数は０．６と規定されている。
【０００５】
ＤＶＤ規格の光ディスクに記録されている信号の読み出し動作を行う光ピックアップ装置の構成について図３に示した概略図を参照にして説明する、
図３において、１はＤＶＤ規格の光ディスク、即ち同図において破線で示す位置に信号記録層Ｌが設けられている光ディスクＤに集光されるレーザー光を放射するレーザーダイオードであり、赤色波長帯６４５ｎｍ〜６７５ｎｍの波長、例えば６５０ｎｍのレーザー光を生成するように構成されている。
【０００６】
２は前記レーザーダイオード１から放射されるレーザー光が入射される位置に設けられている回折格子であり、０次回折光であるメインビームと±１次回折光であるサブビームを分離生成する作用を成すものである。３は前記回折格子２を透過したレーザー光が入射される１／２波長板であり、偏光方向を調整する作用を成すものである。
【０００７】
４は前記１／２波長板３を透過したレーザー光が入射される偏光ビームスプリッタであり、Ｐ偏光光の一部を反射させるとともにその殆どを透過させ、且つＳ偏光光は反射させる制御膜４ａが設けられている。前記レーザーダイオード１から放射されるレーザー光は、前記１／２波長板２によってＰ偏光光に変換されて前記偏光ビームスプリッタ４に入射されるように構成されている。
【０００８】
５は前記偏光ビームスプリッタ４に設けられている制御膜４ａによって反射されるレーザー光が照射される位置に設けられているフロントモニターダイオードであり、レーザーダイオード１から放射されるレーザー光の強度に対応したモニター信号を出力するように構成されている。従って、斯かるフロントモニターダイオード５から得られるモニター信号を利用してレーザーダイオード１に供給される駆動信号のレベルを調整することによってレーザーダイオード１から放射されるレーザー光の強度を所望のレベルになるように自
動的に制御することが出来る。
【０００９】
６は前記偏光ビームスプリッタ４を透過したレーザー光が入射される位置に設けられているコリメートレンズであり、入射されるレーザー光を平行光に変換する作用を成すものである。７は前記コリメートレンズ６にて平行光に変換されたレーザー光が入射される反射ミラーであり、光軸を直角方向に変更する作用を成すものである。
【００１０】
８は前記反射ミラー７によって反射されたレーザー光が入射される位置に設けられている１／４波長板であり、レーザー光を直線偏光光から円偏光光に、またその反対に円偏光光から直線偏光光に偏光する作用を成すものである。９は前記１／４波長板８を透過したレーザー光が照射される位置に設けられているとともに開口数が０．６になるように構成されている対物レンズであり、レーザー光を光ディスクＤの信号記録層Ｌに集光させる作用を成すものである。
【００１１】
前記光ディスクＤに設けられている信号記録層Ｌに対物レンズ９によって集光されたレーザー光は、各信号記録層Ｌにて反射されて対物レンズ９に光ディスクＤ側から戻り光として入射される。前記対物レンズ９に入射された戻り光は、該対物レンズ９を透過した後１／４波長板８に入射される。
【００１２】
前記１／４波長板８に入射された戻り光は、該１／４波長板８によって円偏光光から直線偏光光に変換されるが、光ディスクＤに照射するべく該１／４波長板８に入射されるレーザー光はＰ偏光光であるので、戻り光はＳ偏光光となる。前記１／４波長板８によってＳ偏光光に変換された戻り光は、反射ミラー７によって反射された後コリメートレンズ６に入射される。
【００１３】
前記コリメートレンズ６に入射された戻り光は、該コリメートレンズ６を透過して偏光ビームスプリッタ４に入射される。前記偏光ビームスプリッタ４に入射される戻り光は、前述したように前記１／４波長板８によってＳ偏光光に変換されているため該偏光ビームスプリッタ４に設けられている制御膜４ａを透過することなく全て反射せしめられる。
【００１４】
１０は前記偏光ビームスプリッタ４に設けられている制御膜４ａにて反射された戻り光が入射される位置に設けられているセンサーレンズであり、フォーカスエラー信号を生成するための非点収差を発生させるともに戻り光を光検出器１１に設けられている受光部に照射させる作用を成すものである。斯かる光検出器１１には、４分割センサーと呼ばれる受光部が組み込まれており、斯かる受光部から得られる信号に基づいてフォーカスエラー信号やトラッキングエラー信号が生成されるが、斯かる動作は周知であるのでその説明は省略する。
【００１５】
図３の概略図に示した光学構成の光ピックアップ装置において、フォーカス制御動作、トラッキング制御動作及び読み出される信号の復調動作等を行うことによって光ディスクＤの信号記録層Ｌに記録されている信号の読み出し動作や該信号記録層Ｌへの信号の記録動作を行うことが出来るが、次に信号記録層Ｌ上にレーザー光が照射されて生成されるスポットの形状について説明する。
【００１６】
レーザーダイオード１には、レーザー光を放射するレーザーダイオードチップが組み込まれているが、斯かるレーザーダイオードチップは、周知のようにＰＮ接合面と呼ばれる活性層が設けられている。そして、斯かるＰＮ接合面から放射されるレーザー光は、活性層と水平な方向の径に対して活性層と垂直方向の径の方が長い楕円形状になるという特性を有している。
【００１７】
斯かる楕円形状のレーザー光がレーザーダイオード１から放射されるので、対物レンズ９の集光動作によって光ディスクＤの信号記録層Ｌに照射形成されるレーザースポットは楕円形状になる。
【００１８】
斯かる楕円形状のレーザースポットによって信号記録層Ｌに記録されている信号の読み取り動作は行われるが、その楕円形状の長径方向と信号トラックの方向とを最適な関係にする必要がある。ＤＶＤ＋Ｒと呼ばれる規格の光ディスクに記録されている信号の読み出し動作を行うためには、レーザースポットの長径方向を信号トラックに対して直角になるように配置した方が有利であるが、斯かる配置ではＤＶＤ−Ｒ規格の光ディスクに設けられているＬＰＰ信号(アドレス信号)を読み取ることが困難になるという問題がある。
【００１９】
斯かる問題を解決するために、図４に示すようにレーザースポットの長径方向を信号トラックに対して６０度傾斜させることが行われている。また、ＣＤ規格の光ディスクでは、レーザースポットの長径方向を信号トラックに対して４５度傾斜させることが一般的に行われている。
【００２０】
また、レーザーダイオードとしては、円筒状のパッケージより成るキャン型と扁平状のパッケージより成るフレーム型がある。ノート型のパーソナルコンピューターに組み込まれる光ディスク装置は、薄型化が要求されており、斯かる光ディスク装置に組み込まれる光ピックアップ装置も薄型化が要求されることになる。
【００２１】
フレーム型のレーザーダイオードは、キャン型よりも薄型に適しているので、薄型の光ピックアップ装置に組み込まれるレーザーダイオードは、フレーム型が一般的である。
【００２２】
図５はフレーム型のレーザーダイオードが組み込まれた光ピックアップ装置を示す側面図であり、同図において、１２は光ピックアップ装置を構成する基台であり、光ディスクに対向する平面である上面１２Ａと該上面１２Ａと平行に設けられている下面１２Ｂが設けられている。
【００２３】
斯かる構成において、図３にて説明した各光学部品は、前記上面１２Ａと下面１２Ｂとの間に配置されており、光ピックアップ装置では、上面１２Ａと下面１２Ｂとの間の距離、即ち厚さを薄くすることが要求されている。
【００２４】
１３はフレーム型のレーザーダイオードを構成する金属製のリードフレームであり、平板部１３Ａが設けられている。１４は前記リードフレーム１３の平板部１３Ａに固定されているサブマウントであり、該サブマウント１４上にレーザーダイオードチップ１５が固定されているとともに該レーザーダイオードチップ１５の一方の極と電気的に接続されている。
【００２５】
１６は前記リードフレーム１３とレーザーダイオードへ駆動信号を供給するべく設けられる端子フレームとを合成樹脂材料をモールドすることによって固定する樹脂枠である。斯かる端子フレームは、レーザー駆動回路と接続される端子であり、少なくとも一対設けられており、斯かる端子フレームと前記レーザーダイオードチップ１５の一方の極及びサブマウント１４とワイヤーによって電気的に接続されている。
【００２６】
斯かる構成において、レーザーダイオードチップ１５のＰＮ接合面１５Ａは、図示したようにリードフレーム１３の平板部１３Ａと平行になるように構成されている。斯かる構成において、光ディスクＤの信号記録層Ｌに集光されて生成されるレーザースポットを図４に示すように信号トラックに対して６０度傾斜させるためには、レーザーダイオード１から放射されたレーザー光を対物レンズ９に導くべく設けられている光学系に対してレー
ザースポットを傾斜させるための光学部品を配置させる必要がある。
【００２７】
光学系にレーザースポットを信号トラックに対して傾斜させるための光学部品を設ければ、光ピックアップ装置を構成する基台１２の厚さを変更することなくフレーム型レーザーダイオードを使用することが出来るが、構成が複雑になるとともに部品数が増大するので、価格が上昇するという問題がある。
【００２８】
斯かる問題を解決する簡単な方法として図６に示すようにフレーム型レーザーダイオードを回転させて配置する方法がある。即ち、レーザーダイオードを図示したように傾斜させて配置するとレーザーダイオードチップ１５のＰＮ接合面１５Ａがレーザー光の光軸を中心として回転せしめられるので、信号トラックに対してレーザースポットの長径方向の角度を図４に示すように変更設定することが出来る。
【００２９】
フレーム型レーザーダイオードを回転させることによって信号トラックに対するレーザースポットの傾斜角度を最適に状態になるように変更設定することは出来るものの図６に示すように光ピックアップ装置を構成する基台１２の厚さが増大するという問題がある。斯かる問題を解決する方法としてリードフレーム１３に固定されるレーザーダイオードチップ１５の角度を変更する技術が提案されている。（特許文献１参照。）
【特許文献１】特開２００６−２６９８５７号公報
【発明の開示】
【発明が解決しようとする課題】
【００３０】
図７の(ａ)(ｂ)(ｃ)は前述した特許文献に記載されているリードフレームの形状を示すものであり、斯かる形状のリードフレームを使用すればフレーム型レーザーダイオードを使用した光ピックアップ装置の薄型化を行うことが出来るもののリードフレーム自体に傾斜面を持つチップ実装部を形成するようにしているので、製造が簡単ではないだけでなく種々なレーザースポットの傾斜角度が必要な光ピックアップ装置に対応させるためには種々な傾斜角度の実装部が形成されているリードフレームを個々の光ピックアップ装置に対応させて製造する必要があるので、価格の上昇を抑えることが出来ないという問題がある。
【００３１】
本発明は、斯かる問題を解決することが出来るだけでなく光ピックアップ装置の薄型化に適したフレーム型レーザーダイオードを提供しようとするものである。
【課題を解決するための手段】
【００３２】
本発明は、レーザーダイオードチップが搭載されるリードフレームの平面部を折曲させることによってレーザーダイオードチップのＰＮ接合面をフレーム型レーザーダイオードの本体を構成するとともに光ピックアップ装置の基台を構成する平面に対して平行に配置される主平面に対して傾斜させるようにしたことを特徴とするものである。
【発明の効果】
【００３３】
本発明のフレーム型レーザーダイオードは、レーザーダイオードチップが搭載されるリードフレームの平面部を折曲させることによってレーザーダイオードチップのＰＮ接合面を光ピックアップ装置の基台を構成する平面に対して平行に配置される主平面に対して傾斜させるようにしたので、基台の厚さを増大させることなく信号トラックに対するレーザースポットの角度を所望の値にすることが出来る。
【００３４】
そして、本発明は、レーザーダイオードチップが搭載されるリードフレームの平面部を折曲させることによってレーザーダイオードチップのＰＮ接合面の角度を変更設定するようにしたので、即ちリードフレームの折曲角度を種々変更するという簡単な変更によって
信号トラックに対するレーザースポットの角度に対応させることが出来るという利点を有している。それ故、同一のレーザーフレームを種々の光ピックアップ装置に対応させて組み込まれるフレーム型レーザーダイオードに使用することが出来るので価格の上昇を招くことはなく、本発明は、光ピックアップ装置の薄型化に対して大きな効果を奏するものである。
【実施例】
【００３５】
図１は本発明に係るフレーム型のレーザーダイオードが組み込まれた光ピックアップ装置を示す側面図、図２は本発明に係るフレーム型のレーザーダイオードを示す平面図である。
【００３６】
図１において、１７は光ピックアップ装置を構成する基台であり、光ディスクに対向する平面である上面１７Ａと該上面１７Ａと平行に設けられている下面１７Ｂが設けられている。斯かる構成において、図３にて説明した各光学部品は、前記上面１７Ａと下面１７Ｂとの間に配置されている。
【００３７】
１８はフレーム型のレーザーを構成する金属製のリードフレームであり、主平面である平板部１８Ａが設けられている。１８Ｂは前記リードフレーム１８に設けられている平板部１８Ａの中間部を折曲することによって形成される折曲部であり、その折曲部１８Ｂの傾斜面１８Ｃにレーザーダイオードチップ１９が固定されているとともに該レーザーダイオードチップ１９の一方の極と電気的に接続されているサブマウント２０が固定されている。
【００３８】
２１は前記リードフレーム１８とレーザーダイオードチップ１９へ駆動信号を供給するべく設けられる端子フレーム２２、２３とを固定保持する樹脂枠であり、合成樹脂材料をモールドすることによって製造されるように構成されている。斯かる端子フレーム２２、２３は、レーザー駆動回路と接続される端子であり、少なくとも一対設けられており、斯かる端子フレーム２２、２３と前記レーザーダイオードチップ１９の一方の極及びサブマウント２０とはワイヤー２４、２５によって電気的に接続されている。
【００３９】
斯かる構成において、レーザーダイオードチップ１９のＰＮ接合面１９Ａは、図示したようにリードフレーム１８に形成されている折曲部１８Ｂの傾斜面１８Ｃと平行になるように構成されている。そして、リードフレーム１８に形成されている折曲部１８Ｂの傾斜面１８Ｃの傾斜角度は、光ピックアップ装置の基台１７を構成する平面に対して平行に配置される主平面、例えばリードフレーム１８の非折曲部にて構成される平面を基準にして設定されるが、斯かる角度の設定は信号トラックに対するレーザースポットの傾斜角度に対応して行われることになる。このようにして設定される傾斜角度は、一般的にはＣＤ規格やＤＶＤ規格に合わせて３０°〜６０°に設定されることになる。
【００４０】
また、本発明に係るリードフレーム１８において、樹脂枠２１から外部に突出した部分には、光ピックアップ装置の基台１７への固定を行う透孔２６、２７が設けられている。従って、斯かる透孔２６、２７を利用して螺子等にてレーザーダイオードの固定動作を行うことが出来る。そして、レーザーダイオードチップ１９から発生する熱は、前記リードフレーム１８及び該リードフレーム１８による基台１７への伝達作用によって逃がすことが出来る。
【００４１】
尚、本実施例では、ＤＶＤ規格の光ディスクに記録されている信号の読み出し動作を行う光ピックアップ装置に使用されるレーザーダイオードについて説明したが、ＣＤ規格の光ディスクに記録されている信号の読み出し動作を行う光ピックアップ装置に使用されるレーザーダイオードに採用することは勿論出来る。更に、ＤＶＤ規格及びＣＤ規格の各光
ディスクに対応した２波長のレーザー光を放射する２波長レーザーダイオードが組み込まれるフレーム型レーザーダイオードに採用することは勿論可能である。
【００４２】
また、本実施例では、リードフレーム１８に光ピックアップ装置の基台１７への固定を行うための透孔２６、２７を設けたが、固定を行うための手段としては切り欠き等を設けることも出来る。
【図面の簡単な説明】
【００４３】
【図１】本発明のフレーム型レーザーダイオードが組み込まれた光ピックアップ装置を示す側面図である。
【図２】本発明のフレーム型レーザーダイオードを示す平面図である。
【図３】本発明に係る光ピックアップ装置の光学系を説明するための概略図である。
【図４】信号トラックとレーザースポットとの関係を説明するための図である。
【図５】従来のフレーム型レーザーダイオードが組み込まれた光ピックアップ装置を示す側面図である。
【図６】従来のフレーム型レーザーダイオードが組み込まれた光ピックアップ装置を示す側面図である。
【図７】従来のリードフレームの形状を示す側面図である。
【符号の説明】
【００４４】
１７      基台
１８      リードフレーム
１８Ａ    平板部
１８Ｂ    折曲部
１８Ｃ    傾斜面
１９      レーザーダイオードチップ
２０      サブマウント
２１      樹脂枠
【図１】
2010097661.tif 000003
【図２】
2010097661.tif 000004
【図３】
2010097661.tif 000005
【図４】
2010097661.tif 000006
【図５】
2010097661.tif 000007
【図６】
2010097661.tif 000008
【図７】
2010097661.tif 000009